(57)【要約】【課題】基材シートの厚さや、隠蔽データとしての隠蔽情報の印刷濃度や、隠蔽インキによる隠蔽層の隠蔽度合によって、隠蔽すべき情報が透けて見えてしまうという問題の発生を皆無にすることにある。【解決手段】紙製又はプラスチックフィルム製の基材シート１１面に、透明性の剥離剤による通常印刷インキ又は非磁性１成分トナーを用いて、通常印刷印字又は静電印刷印字方式にて印字された剥離性隠蔽情報層１２を備え、該隠蔽情報層１２上より被覆する着色インキによる着色層１３を備え、前記剥離性隠蔽情報層１２真上の着色層１３を剥離可能にした。【選択図】図２
2004034578.tif 000002
【特許請求の範囲】
【請求項１】
紙製又はプラスチックフィルム製の基材シート１１面に、透明性の剥離剤を用いて印字された剥離性隠蔽情報層１２を備え、該隠蔽情報層１２上より被覆する着色インキによる着色層１３を備え、前記剥離性隠蔽情報層１２真上の着色層１３を剥離可能にしたことを特徴とするスクラッチ印刷物。
【請求項２】
請求項１記載のスクラッチ印刷物であって、前記剥離性隠蔽情報層１２が、非磁性１成分トナーからなる透明性の剥離剤を用いて静電印字方式にて印字されていることを特徴とするスクラッチ印刷物。
【発明の詳細な説明】
【０００１】
【発明の属する技術分野】
本発明は、表面の隠蔽層を擦り取ることにより、当たり、はずれ等の所定の可視情報が現出するスクラッチ印刷物に関する。
【０００２】
【従来の技術】
従来の販売キャンペーン等に使用されるスクラッチ印刷物としては、表面の隠蔽層を擦り取ることにより、当たり、はずれ等の抽選に関する隠蔽情報が可視情報として現出するスクラッチ籤がある。
【０００３】
従来のスクラッチ籤は、図５（ａ）の側面図、図５（ｂ）の平面図に示すように、所定厚さの不透明な紙製又はプラスチックフィルム製の基材シート１に抽選に関する隠蔽情報層２として、可視性の着色インキを用いて、「当たり」、「はずれ」、あるいは「１等」、「２等」、「３等」等の隠蔽すべき文字、記号、数字の印刷若しくは可変データの印字を行い、その隠蔽すべき情報を被覆するように、透明剥離層３（透明剥離ニス等）を設け、次に、図６（ａ）の側面図、図６（ｂ）の平面図に示すように、その剥離層３の上面に隠蔽インキ（アルミニウム粉体を混入したアルミペーストインキ等の隠蔽性のある金属粉体混入の金属ペーストスクラッチインキ）による隠蔽層４を印刷して、隠蔽情報層２を可視できないように隠蔽したものである。
【０００４】
上記のスクラッチ籤は、図７（ａ）の側面図、図７（ｂ）の平面図に示すように、コイン等で剥離層３上の隠蔽層４の表面を擦ることで、隠蔽インキが剥離して、隠蔽情報２が可視情報として現出するようになっている。
【０００５】
【発明が解決しようとする課題】
上記のような従来のスクラッチ籤等のスクラッチ印刷物は、不透明な紙製又はプラスチックフィルム製の基材シート１の厚さや、隠蔽データとしての隠蔽情報２の印刷濃度や、隠蔽インキによる隠蔽層４の隠蔽度合によっては、隠蔽層４の下層にある隠蔽すべき情報が透けて見えてしまうという問題が発生する。
【０００６】
本発明は、スクラッチ印刷物において、上記のような基材シートの厚さや、隠蔽データとしての隠蔽情報の印刷濃度や、隠蔽インキによる隠蔽層の隠蔽度合によって、隠蔽すべき情報が透けて見えてしまうという問題の発生を皆無にすることにある。
【０００７】
【課題を解決するための手段】
本発明の請求項１に係る発明は、紙製又はプラスチックフィルム製の基材シート１１面に、透明性の剥離剤を用いて印字された剥離性隠蔽情報層１２を備え、該隠蔽情報層１２上より被覆する着色インキによる着色層１３を備え、前記剥離性隠蔽情報層１２真上の着色層１３を剥離可能にしたことを特徴とするスクラッチ印刷物である。
【０００８】
本発明の請求項２に係る発明は、上記請求項１に係るスクラッチ印刷物であっって、前記剥離性隠蔽情報層１２が、非磁性１成分トナーからなる透明性の剥離剤を用いて静電印字方式にて印字されていることを特徴とするスクラッチ印刷物である。
【０００９】
【発明の実施の形態】
本発明のスクラッチ印刷物を、その発明の実施の形態に基づいて以下に詳細に説明する。
【００１０】
本発明のスクラッチ印刷物は、図１（ａ）の側面図、及び図１（ｂ）に示すように、紙製又はプラスチックフィルム製の基材シート１１面に、無色透明乃至淡い着色透明な透明性のある剥離剤を用いて印刷された「当たり」、「はずれ」、又は「１等」、「２等」、「３等」等の隠蔽すべき情報として、剥離性隠蔽情報層１２を備え、該隠蔽情報層１２は、ほとんど無色透明であって、肉眼では不可視の状態となっている。
【００１１】
なお、基材シート１１の色調、濃度は特に限定されるものではなく、例えば白色でもよいし、それ以外の適宜な色調でよい。また、基材シート１１自体の隠蔽性の度合いについても特に限定されず、隠蔽性のある不透明なシートであってもよいし、必要に応じては透明なシートであってもよい。
【００１２】
剥離性隠蔽情報層１２は、基材シート１１に対しては接着力があって剥離性を示さないシリコーン樹脂、ポリアミド樹脂、ワックス等の離型性樹脂を主体とする樹脂バインターを材料として製造された透明な剥離剤を印刷インキとして使用し、グラビア印刷方式、凸版印刷方式、オフセット印刷方式等の通常の印字方式や、剥離剤を感圧転写層（又は感熱転写層）として設けた転写リボンを用いたドットプリンター（又はサーマルヘッドプリンター、レーザープリンター）等のデジタル印字方式による可変データ印字装置を動作させて、、「当たり」、「はずれ」、又は「１等」、「２等」、「３等」等の隠蔽すべき情報が印刷される。
【００１３】
また、該隠蔽情報層１２は、剥離剤として基材シート１１に対しては接着性があって剥離性を示さないシリコーン樹脂、ポリアミド樹脂、ワックス等の離型性樹脂を主体とするバインター樹脂を材料として製造された透明な非磁性１成分トナーによる静電印刷用トナーを用いて、レーザープリンター（又は電子コピー）方式等のデジタル印字方式による可変データ印字装置を動作させ、「当たり」、「はずれ」、又は「１等」、「２等」、「３等」等の隠蔽すべき情報が印刷される。
【００１４】
離型性樹脂を主体とする上記非磁性１成分トナーは、例えば、着色剤を配合しない（又は透明性の着色剤を配合した）シリコーン樹脂、ポリアミド樹脂、ワックス等の透明な離型性樹脂を主体とする無色透明（又は淡色着色透明）なバインダー樹脂と、荷電制御用樹脂と、また、必要に応じてオフセット防止用樹脂等の成分を、溶融・混練し、混練物を粉砕・分級することにより製造される。
【００１５】
図２（ａ）の側面図及び図２（ｂ）の平面図に示すように、上記基材シート１１に形成された透明な剥離性隠蔽情報層１２の上側には、該情報層１２を全面的に被覆するように、通常の印刷に使用される不透明な着色印刷インキ又は脆弱性の隠蔽性スクラッチインキ（アルミニウム粉体を混入したアルミペーストインキ等の隠蔽性のある金属粉体混入の金属ペーストスクラッチインキ）等の着色インキあるいは隠蔽インキを用いて印刷塗布されたベタ状、無地網状、適宜模様状、パターン状の着色層１３を備えている。
【００１６】
着色層１３の形成に使用する着色インキあるいは隠蔽インキは、シリコーン樹脂、ポリアミド樹脂、ワックス等の離型性樹脂に対して易剥離性のあるインキが使用され、基材シート１１に塗布印刷された着色層１３は、基材シート１１に対しては接着力があり、剥離性隠蔽情報層１２に対しては易剥離性を示すものである。
【００１７】
なお、隠蔽情報層１２は、ほとんど無色透明であって、肉眼では不可視の状態となっているため、その上層に塗布印刷される着色層１３に使用する着色インキの隠蔽情報層１２に対する隠蔽力は、それほど必要ではなく、透明性のある着色インキでも透明な隠蔽情報層１２を不可視状態に隠蔽することができる。
【００１８】
本発明の上記スクラッチ印刷物は、コイン等で着色層１３表面の全面を擦る（スクラッチングする）ことにより、図３（ａ）の側面図、図３（ｂ）の平面図に示すように、基材シート１１面に直接に設けられている着色層１３は互いの接着力により剥離せずに残留して、着色層１３の非剥離領域が形成され、剥離性隠蔽情報層１２真上に相当する着色層１３のみが剥離性隠蔽情報層１２から剥離して着色層１３の剥離領域が形成される。
【００１９】
着色層１３が剥離した剥離領域は、透明な剥離性隠蔽情報層１２が露呈するとともに、該情報層１２を透して基材シート１１面が可視され、着色層１３が剥離した剥離領域の基材シート１１面の色調（例えば白色）と、その領域以外の着色層１３の残存する非剥離領域の色調との色調差により、隠蔽情報層１２の「当たり」、「はずれ」、又は「１等」、「２等」、「３等」等の籤や抽選情報等の隠蔽すべき情報が、肉眼にて可視される状態となる。なお、肉眼にて可視され易いように、スクラッチング後の着色層１３の剥離領域と非剥離領域との良好なコントラストを得るために、着色層１３と基材シート１１の互いの色調（又は濃度）を異なる色調（又は濃度）とすることが望ましい。
【００２０】
図４は、本発明のスクラッチ印刷物の製造工程を説明する装置の概要側面図であり、巻出部２１から長巻状の基材シート１１を巻き出して、ガイドロール２２ａ〜２２ｈにて基材シート１１をガイドしながら、先ず隠蔽情報印字装置２３に基材シート１１を導入し、その装置２３に搭載するグラビア印刷方式、オフセット印刷方式、凸版印刷方式等の通常の印刷インキを用いた印刷機により、非着色の透明な剥離剤を印刷インキとして使用して、基材シート１１に透明な剥離性隠蔽情報層１２を形成する。
【００２１】
また、隠蔽情報印字装置２３には、レーザープリンター等の非磁性１成分トナーを用いた静電印刷方式による可変データ印字機を搭載して、非着色の透明な剥離剤により製造したトナーを使用して、デジタル可変データによる隠蔽情報データに基づいて、基材シート１１に透明な剥離性隠蔽情報層１２を印字形成する。
【００２２】
続いて、隠蔽情報層１２を印字形成した基材シート１１を、印刷版胴２４ａ、圧胴２４ｂからなる印刷手段２４（版胴２４ａ側のインキ供給手段は図中省略）に導入して、通常の印刷用の不透明又は透明な着色インキ又は金属粉を混入した隠蔽性のペースト状スクラッチインキ（スクラッチ剥離可能な脆弱性インキ）を用いて、基材シート１１面に形成された隠蔽情報層１２を被覆するように、ベタ状、模様状、パターン状等の着色層１３を塗布印刷する。
【００２３】
なお、使用する着色インキ、スクラッチインキは、自然乾燥（酸化重合乾燥）よりも速乾性のある乾燥形態を有するインキを使用することが適当であって、例えば、溶剤揮散型又は二液混合硬化乾燥型又は紫外線硬化乾燥型のインキが望ましい。紫外線硬化乾燥型のインキを使用する場合には、印刷手段２４の次に、紫外線照射手段２５を配置して着色層１３のインキを硬化乾燥させる。
【００２４】
また、印刷手段２４（第一印刷手段）の次に、印刷版胴２６ａ、圧胴２６ｂからなる第二印刷手段２６（版胴２６ａ側のインキ供給手段は図中省略）を配置して、印刷手段２４による着色層１３（第一着色層）の形成後に、基材シート１１を第二印刷手段２６に導入して、上記第一印刷手段２４で使用するインキと同様のインキを用いて、基材シート１１面に形成された第一着色層１３に重合（又は整合）あるいは隣接するように、第二着色層１４を塗布印刷するようにしてもよい。紫外線硬化乾燥型のインキを使用する場合には、この印刷手段２６の次に、紫外線照射手段２７を配置して、第二着色層１４のインキを硬化乾燥させる。
【００２５】
このようにして基材シート１１面に隠蔽情報層１２と着色層１３、又は隠蔽情報層１２と第一着色層１３と第二着色層１４を形成して、長巻状のスクラッチ印刷物を製造した後は、基材シート１１を巻取部２８にてロール状に巻き取る。巻き取られたスクラッチ印刷物は、再度、巻き出しながらシートカッティンク手段（図示せず）にて、あるいは巻取部２８をシートカッティンク手段（図示せず）に置き替えることにより、シートカッティンク手段にて連続して所定サイズにカッティンクし、枚葉シート状のスクラッチ印刷物を製造する。
【００２６】
【発明の効果】
本発明のスクラッチ印刷物は、隠蔽すべき情報が、肉眼では不可視状態の透明な離型性樹脂（剥離性樹脂）により隠蔽情報層として設けられており、不透明な紙製又はプラスチックフィルム製の基材シートの厚さや、隠蔽データとしての隠蔽情報層の印刷濃度や、着色インキや隠蔽性インキにより形成される隠蔽層としての着色層の隠蔽度合によって、隠蔽層の下層にある隠蔽すべき情報が透けて見えてしまうという現象を回避でき、そのような現象により生ずる問題の発生を皆無にすることができる効果があり、隠蔽すべき情報を備えたスクラッチ印刷物の隠蔽精度と品質の向上に効果がある。
【図面の簡単な説明】
【図１】（ａ）は本発明のスクラッチ印刷物の基材シートに形成した透明な隠蔽情報層を説明する側面図、（ｂ）はその平面図。
【図２】（ａ）は本発明のスクラッチ印刷物を説明する側面図、（ｂ）はその平面図。
【図３】（ａ）は本発明のスクラッチ印刷物をスクラッチングした後の側面図、（ｂ）はその平面図。
【図４】本発明のスクラッチ印刷物の製造工程を説明する製造装置の概要側面図。
【図５】（ａ）は従来のスクラッチ印刷物の基材シートに形成した隠蔽情報層と剥離層を説明する側面図、（ｂ）はその平面図。
【図６】（ａ）は従来のスクラッチ印刷物を説明する側面図、（ｂ）はその平面図。
【図７】
（ａ）は従来のスクラッチ印刷物をスクラッチングした後の側面図、（ｂ）はその平面図。
【符号の説明】
１…基材シート　２…隠蔽情報層　３…剥離層　４…隠蔽層
１１…基材シート　１２…透明な剥離性隠蔽情報層
１３…着色層（第一着色層）　１４…第二着色層
【図１】
2004034578.tif 000003
【図２】
2004034578.tif 000004
【図３】
2004034578.tif 000005
【図４】
2004034578.tif 000006
【図５】
2004034578.tif 000007
【図６】
2004034578.tif 000008
【図７】
2004034578.tif 000009